(57)【要約】【課題】植物の花・葉・茎・樹皮、鳥・昆虫の羽、貝殻・砂を含む天然・自然物が有する造形美や色彩そのものを使用した裁断・縫製可能な装飾物挟持加工素材を提供する。【解決手段】扁平性のある装飾物２をヒートシール性を有する透明合成樹脂フィルム材３によって挟持し、ヒートプレス加工により密着一体化して、裁断・縫製加工用の原反１とする。装飾物２は、植物の花・葉・茎・樹皮、鳥・昆虫の羽、貝殻・砂を含む自然・天然物であるものとする。透明合成樹脂フィルム材３は、ポリ塩化ビニル（ＰＶＣ）等のポリオレフィン系樹脂製であるものとする。原反１は、当該原反１の製造後に剥離する２軸延伸ポリプロピレン樹脂フィルム材（ＯＰＰ）による保護カバーシート４で被覆してある。透明合成樹脂フィルム材３は、自体を紫外線（ＵＶ）カット作用があるシートとするか、あるいは透明合成樹脂フィルム材３の表面に香りシートを貼着する。【選択図】図１
0003210849.tif 000002
【実用新案登録請求の範囲】
【請求項１】
扁平性のある装飾物をヒートシール性を有する透明合成樹脂フィルム材によって挟持させ、ヒートプレス加工により密着一体化して、裁断・縫製加工用の原反としたことを特徴とする装飾物挟持加工素材。
【請求項２】
装飾物は、植物の花・葉・茎・樹皮、鳥・昆虫の羽、貝殻・砂を含む自然・天然物である請求項１記載の装飾物挟持加工素材。
【請求項３】
透明合成樹脂フィルム材は、ポリ塩化ビニル等のポリオレフィン系樹脂製である請求項１記載の装飾物挟持加工素材。
【請求項４】
原反は、当該原反の製造後に剥離される２軸延伸ポリプロピレン樹脂フィルム材による保護カバーシートで被覆されている請求項１記載の装飾物挟持加工素材。
【請求項５】
透明合成樹脂フィルム材は、自体を紫外線カット作用があるシートとする請求項１記載の装飾物挟持加工素材。
【請求項６】
透明合成樹脂フィルム材は、表面に香りシートを貼着してなる請求項１記載の装飾物挟持加工素材。
【考案の詳細な説明】
【技術分野】
【０００１】
この考案は、例えば植物あるいは鳥や蝶の羽等の自然・天然物をそのまま色彩デザインとして利用した装飾物挟持加工素材に関する。
【背景技術】
【０００２】
従来から、例えば洋服やコート等の被服・バッグ・タペストリ・スマホケース・財布・ベルト・テーブル掛け・カーテン等の雑貨品の裁断・縫製加工用素材に例えば植物あるいは鳥や蝶の羽等の幾何学的な色彩デザインを施すために、これら装飾的デザインを模した印刷物等の貼着・転写によるか、あるいはアップリケや刺繍によるか等の技法により加工していた。
【先行技術文献】
【特許文献】
【０００３】
【特許文献１】特になし
【考案の概要】
【考案が解決しようとする課題】
【０００４】
しかしながら、これら従来の加工技法では、例えば植物あるいは鳥や蝶の羽等の天然・自然物等が有する造形美や色彩そのものを素材として直接使用することは不可能という問題があり、上記したように、アップリケや刺繍、印刷表示等による間接的な技法に限られていた。
【０００５】
そこでこの考案は叙上のような従来存した諸事情に鑑み案出されたもので、その目的は植物の花・葉・茎・樹皮、鳥・昆虫の羽、貝殻・砂を含む天然・自然物が有する造形美や色彩そのものを使用した裁断・縫製可能な装飾物挟持加工素材を提供することにある。
【課題を解決するための手段】
【０００６】
上述した課題を解決するため、この考案にあっては、扁平性のある装飾物２をヒートシール性を有する透明合成樹脂フィルム材３によって挟持させ、ヒートプレス加工により密着一体化して、裁断・縫製加工用の原反１としたことを特徴とする。
装飾物２は、植物の花・葉・茎・樹皮、鳥・昆虫の羽、貝殻・砂を含む自然・天然物であるものとすることができる。
透明合成樹脂フィルム材３は、ポリ塩化ビニル（ＰＶＣ）等のポリオレフィン系樹脂製であるものとすることができる。
原反１は、当該原反１の製造後に剥離される２軸延伸ポリプロピレン樹脂フィルム材（ＯＰＰ）による保護カバーシート４で被覆されているものとすることができる。
透明合成樹脂フィルム材３は、自体を紫外線（ＵＶ）カット作用があるシートとするか、あるいは表面に香りシート５を貼着してなるものとすることができる。
【０００７】
以上のように構成されたこの考案に係る装飾物挟持加工素材にあって、透明合成樹脂フィルム材３は、ヒートプレス加工により装飾物２を密着一体化させ、これにより、装飾物２自体の扁平性および気密保護性を維持可能にさせる。
植物の花・葉・茎・樹皮、鳥・昆虫の羽、貝殻・砂を含む自然・天然物による装飾物２は、天然・自然物の持つ優しさや可憐な味わいを付与してなる裁断縫製用の生地や美術工芸品の外装加工素材として使用できる原反１を作成可能にさせる。
ポリ塩化ビニル等のポリオレフィン系樹脂製の透明合成樹脂フィルム材３は、装飾物２の均一的なラミネート加工、無気泡加工、強度保持加工を可能にさせる。
２軸延伸ポリプロピレン樹脂フィルム材（ＯＰＰ）による保護カバーシート４は、ポリ塩化ビニル（ＰＶＣ）等のポリオレフィン系樹脂製による透明合成樹脂フィルム材３よりも融点が高く且つ強靭性があるため、加熱ローラによる原反１の製造時において、透明合成樹脂フィルム材３の表面を保護する非ヒートシール性の保護材として有効利用可能にさせる。
紫外線（ＵＶ）カット作用がある透明合成樹脂フィルム材３は、自然・天然物による装飾物２の紫外線による色の経年劣化を防止させるとともに、装飾物２の発色を促進させる原反１を作成可能にさせる。
透明合成樹脂フィルム材３の表面に貼着された香りシート５は、天然・自然物の持つ芳香性のある原反１を作成可能にさせる。
【考案の効果】
【０００８】
この考案は以上説明したように構成されているため、植物の花・葉・茎・樹皮、鳥・昆虫の羽、貝殻・砂を含む天然・自然物が有する造形美や色彩そのものを使用した裁断・縫製可能な装飾物挟持加工素材を容易に製造することができる。
【０００９】
すなわち、この考案によれば、扁平性のある装飾物２をヒートシール性を有する透明合成樹脂フィルム材３によって挟持させ、ヒートプレス加工により密着一体化して、裁断・縫製加工用の原反１としたからであり、これにより、装飾物２自体の扁平性および気密保護性を維持可能にした装飾物挟持加工素材を容易に製造することができる。
【００１０】
装飾物２は、植物の花・葉・茎・樹皮、鳥・昆虫の羽、貝殻・砂を含む自然・天然物であるので、天然・自然物の持つ優しさや可憐な味わいを付与してなる裁断・縫製用の生地や美術工芸品の外装加工素材として使用できる原反１を製造することができる。
【００１１】
具体的には、自然・天然物をそのまま扁平状にすることで具象的なあるいは幾何学的な色彩デザインとして、例えば洋服・和服やコート等の被服・バッグ・アクセサリ・タペストリ・スマホケース・カーテン・テーブル掛け・手提げトート・ストラップ・ベルト・傘等の雑貨品の裁断・縫製加工用素材、さらにはインテリアアート、ネイルアート、アクセサリを含む美術工芸品の外装加工素材として使用できる原反１を容易に製造することができる。
【００１２】
例えば、このような原反１を裁断・縫製用の生地として利用すれば、例えば、大きな花を葉や茎もそのままに表現できることから、花びらを幾何学的にデザインしたり、リアルな生け花そのままをデザインしたり、アイテムや商品の特性、配置個所等により、あらゆるデザイン加工が可能となる。
【００１３】
また、和紙の柄に合わせた花のデザイン、鳥や蝶の羽あるいは花を多重に重ねてより奥行き感を現出させたデザインを作成する技法も可能となる。このように、天然・自然物そのものをパレットに見立てたバッグや、壁掛け、タペストリなど様々な商品に封じ込めることで、花の持つ優しさや可憐な味わいを身の回りに配することで楽しむことができる。
【００１４】
透明合成樹脂フィルム材３は、ポリ塩化ビニル等のポリオレフィン系樹脂製であるので、装飾物２の均一的なラミネート加工、無気泡加工、強度保持加工を可能する。
【００１５】
原反１は、当該原反１の製造後に剥離される２軸延伸ポリプロピレン樹脂フィルム材（ＯＰＰ）による保護カバーシート４で被覆されているものとしたので、製造時における原反１の表面の保護被覆材として保護カバーシート４を有効に利用することができる。
【００１６】
また、保護カバーシート４は、ポリ塩化ビニル（ＰＶＣ）等のポリオレフィン系樹脂製による透明合成樹脂フィルム材３よりも融点が高く且つ強靭性があるため、加熱ローラによるヒートプレス加工時における透明合成樹脂フィルム材３の表面を被覆保護するための非ヒートシール性の素材として利用することができる。
【００１７】
すなわち、透明合成樹脂フィルム材３を直接加熱ローラ間に通すと該ローラ表面に透明合成樹脂フィルム材３が溶着してしまい、表面が滑らかな原反１を得ることができないので、この透明合成樹脂フィルム材３の外面に非ヒートシール性の合成樹脂フィルムを介在させて、加熱ローラ間に通すことが必要である。２軸延伸ポリプロピレン樹脂フィルム材による保護カバーシート４は、加熱ローラはもとより透明合成樹脂フィルム材３とも溶着することはないので、上記した非ヒートシール性の合成樹脂フィルムとして最適である。
【００１８】
透明合成樹脂フィルム材３は、自体を紫外線（ＵＶ）カット作用があるシートとしたので、自然・天然物による装飾物２の紫外線による色の経年劣化を防止させるとともに、装飾物２の発色促進を可能する。
【００１９】
透明合成樹脂フィルム材３は、表面に香りシート５を貼着してなるので、天然・自然物の持つ芳香性のある例えば洋服・和服やコート等の衣服・バッグ・タペストリ・スマホケース・傘を含む雑貨品の裁断縫製用の生地の原反１、あるいはインテリアアート、ネイルアート、アクセサリを含む美術工芸品の外装加工素材の原反１を容易に製造することができる。
【００２０】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００２１】
【図１】この考案を実施するための一形態を示すもので、保護カバーシートを鎖線で示す断面図である。
【図２】香りシートを貼着した状態の断面図である。
【図３】この考案を手提げバッグの生地に使用した一例を示す図である。
【図４】この考案をテーブルクロスの生地に使用した一例を示す図である。
【図５】この考案をＴシャツの生地に使用した一例を示す図である。
【図６】この考案を電気傘のインテリアアートとして使用した一例を示す図である。
【考案を実施するための形態】
【００２２】
以下、図面を参照してこの考案を実施するための一形態を説明すると、図において示される符号１は、この考案の装飾物挟持加工素材を構成する原反であり、扁平性のある装飾物２を、ヒートシール性を有する透明合成樹脂フィルム材３によって挟持させた３つの層の積層構造となっている。
【００２３】
すなわち、原反１は、図１に示すように、約０．１〜１ｍｍのヒートシール性を有する透明合成樹脂フィルム材３による第１層と、天然・自然物である装飾物２による第２層と、約０．１〜１ｍｍの透明合成樹脂フィルム材３による第３層とによって構成されている。すなわち、扁平状にした装飾物２を第１層、第３層の透明合成樹脂フィルム材３によって挟持して成るサンドイッチ構造としてある。
【００２４】
装飾物２としては、自然・天然物である例えば植物の花・葉・茎・樹皮、鳥の羽、蝶を含む昆虫の羽、貝殻・砂等が直接利用される。
【００２５】
透明合成樹脂フィルム材３としては、ポリ塩化ビニル（ＰＶＣ）が使用される。これは、一般的な合成樹脂（プラスチック）の1つで、クロロエチレンを重合したヒートシール性を有するものである。
【００２６】
また、図１中鎖線で示すように、装飾物２を挟持するヒートシール性の透明合成樹脂フィルム材３を加熱処理するための加熱ローラ（図示せず）を使用しての原反１の製造時には、事前にその表裏両面に約０．０１ｍｍの非ヒートシール性を有する保護カバーシート４が被覆される。装飾物２をヒートシールによって透明合成樹脂フィルム材３で挟持した後の保護カバーシート４は、加熱ローラによる原反１の製造後では剥離されるものとしてある。
【００２７】
保護カバーシート４としては２軸延伸ポリプロピレン樹脂フィルム材（ＯＰＰ）が使用される。これは、ポリプロピレンをタテとヨコの二方向に延伸し、透明なフィルムにしたものであり、延伸してあるため強度があり、引っ張っても殆ど伸びない性質がある。
【００２８】
保護カバーシート４は、上記したポリ塩化ビニル（ＰＶＣ）等のポリオレフィン系樹脂製による透明合成樹脂フィルム材３よりも融点が高く且つ強靭性があるため、加熱ローラによる原反１の製造時における透明合成樹脂フィルム材３の表面を被覆保護する非ヒートシール性の素材として２軸延伸ポリプロピレン樹脂フィルム材（ＯＰＰ）による保護カバーシート４が使用されている。
【００２９】
すなわち、透明合成樹脂フィルム材３を直接加熱ローラ間に通すと該加熱ローラ表面に透明合成樹脂フィルム材３が溶着してしまい、表面が滑らかな原反１を得ることができないので、この透明合成樹脂フィルム材３の外面に非ヒートシール性の合成樹脂フィルムを介在させて、加熱ローラ間に通すことが必要である。２軸延伸ポリプロピレン樹脂フィルム材（ＯＰＰ）による保護カバーシート４は、加熱ローラはもとより透明合成樹脂フィルム材３とも溶着することはないので、上記した非ヒートシール性の合成樹脂フィルムとして最適である。
【００３０】
また、保護カバーシート４は、加熱ローラ間通過後においては、原反１から剥離除去されるが、原反１を保護する上で出荷・流通の段階においても強いて剥離せずにそのまま表面の保護シート材として被覆状態を維持しておいても良い。
【００３１】
透明合成樹脂フィルム材３は、これ自体を紫外線（ＵＶ）カット作用があるシートとしても良い。
【００３２】
また、上記保護カバーシート４を剥離除去した後の原反１の透明合成樹脂フィルム材３の表面に香りシート５（図２参照）を貼着しても良く、この香りシート５は透明合成樹脂フィルム材３の表面全域にあるいは必要な箇所に部分的に貼着される。この香りシート５は透明合成樹脂フィルム材３貼着された状態では装飾物２を隠蔽しないよう透視性ある素材であることが望ましい。
【００３３】
なお、図示による説明を省略するが、透明合成樹脂フィルム材３の表面に紫外線（ＵＶ）カットシートを貼着したり、透明合成樹脂フィルム材３自体に香り成分を混合させたりしても良い。
【００３４】
次に、裁断・縫製用の生地や美術工芸品の外装加工素材としての原反１の使用例について説明する。
【００３５】
原反１は、例えば洋服・和服やコート等の被服・バッグ・アクセサリ・タペストリ・スマホケース・カーテン・テーブル掛け・手提げトート・ストラップ・ベル・傘等の雑貨品の裁断・縫製加工用素材、さらにはインテリアアート、ネイルアート、アクセサリを含む美術工芸品や電化製品等の外装加工素材として使用する。
【００３６】
具体的な例を挙げると、図３には、手提げバッグ１０の生地の裁断・縫製加工用素材として上記構成による原反１が使用されている一例を示す。この場合では、装飾物２は、自然界に存在する例えばシダ植物の葉を直接使用している。
【００３７】
図４には、テーブルクロス１１のコットン製生地の裁断・縫製加工用素材として上記構成による原反１が使用されている一例を示す。この場合、装飾物２は、自然界に存在する例えばタンポポ等の花を直接使用している。
【００３８】
図５には、Ｔシャツ１２の綿布製生地の裁断・縫製加工用素材として上記構成による原反１が使用されている一例を示す。この場合、装飾物２は、自然界に存在する例えば樹木の葉をウサギに模ったアートとしている。
【００３９】
図６には、外観が例えばスカート状もしくはラッパ状に形成された電気傘１３のインテリアアートとして上記構成による原反１が使用されている。この場合、装飾物２は、自然界に存在する例えば花を直接使用している。
【００４０】
次に、裁断・縫製加工用素材として使用される原反１の製造方法について説明すると、先ず、フィルムロール体（図示せず）からヒートシール性の透明合成樹脂フィルム材３をレイアウト台上面（図示せず）に引き出す。
【００４１】
次いで、引き出された透明合成樹脂フィルム材３上面に扁平状に加工した、あるいは挟持されることで扁平状となる装飾物２を適宜数載置し、然る後当該装飾物２を載置した一方の透明合成樹脂フィルム材３面側に、フィルムロール体からヒートシール性の他方の透明合成樹脂フィルム材３を供給する。
【００４２】
同時にまた、透明合成樹脂フィルム材３の外面側及び前記装飾物２を載置した透明合成樹脂フィルム材３の外面側に、それぞれフィルムロール体から非ヒートシール性の保護カバーシート４を供給しつつ温度約１００℃の加熱ローラ間に通してヒートシールを行なった後、切断し、非ヒートシール性の保護カバーシート４を剥離除去して、原反１を得る。こうして製造された原反１は、例えば雑貨品の裁断・縫製加工用素材、美術工芸品の外装加工素材等として使用される。
【００４３】
このように、この考案においては、透明合成樹脂フィルム材３によって挾持されている自然界に存在する装飾物２そのものを両面から観察することができ、装飾的美観に極めて優れていると共に、裁断性と縫製性に優れ、テーブル掛けやバッグ等の各種縫製品の素材として好適なものとなる。
【符号の説明】
【００４４】
１…原反                                ２…装飾物
３…透明合成樹脂フィルム材              ４…保護カバーシート
１０…手提げバッグ                      １１…テーブルクロス
１２…Ｔシャツ                          １３…電気傘
【図１】
0003210849.tif 000003
【図２】
0003210849.tif 000004
【図３】
0003210849.tif 000005
【図４】
0003210849.tif 000006
【図５】
0003210849.tif 000007
【図６】
0003210849.tif 000008